【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
第四級アンモニウム塩を含む組成物であって、該第四級アンモニウム塩が、
ａ．第三級アミノ基を有するマンニッヒ反応生成物であって、該マンニッヒ反応生成物は、ヒドロカルビル置換フェノールと、アルデヒドと、アミンとの反応より調製される、マンニッヒ反応生成物；および
ｂ．該第三級アミノ基を第四級窒素に変換するのに適切な第四級化剤
の反応生成物を含む、組成物。
【請求項２】
前記第四級化剤が、硫酸ジアルキル；アルキルハロゲン化物；ヒドロカルビル置換カーボネート；酸と組み合わされたヒドロカルビルエポキシド；およびこれらの混合物からなる群より選択される、請求項１に記載の組成物。
【請求項３】
前記構成要素（ａ）のヒドロカルビル置換フェノールのヒドロカルビル置換基が、４００〜３，０００の数平均分子量を有するポリオレフィンである、請求項１に記載の組成物。
【請求項４】
前記構成要素（ａ）のアルデヒドが、ホルムアルデヒドまたはその反応等価体である、請求項１に記載の組成物。
【請求項５】
前記構成要素（ａ）のアミンが、ジメチルアミン、エチレンジアミン、ジメチルアミノプロピルアミン、ジエチレントリアミン、ジブチルアミンおよびこれらの混合物からなる群より選択される、請求項１に記載の組成物。
【請求項６】
潤滑粘度の油、室温で液体である燃料、流動化剤またはこれらの組み合わせをさらに含む、請求項１に記載の組成物。
【請求項７】
金属不活性化剤、請求項１に記載のもの以外の清浄剤、分散剤、粘度改質剤、摩擦調整剤、分散粘度改質剤、極圧剤、耐磨耗剤、酸化防止剤、腐食防止剤、消泡剤、解乳化剤、流動点降下剤、シール膨張剤、ワックス制御ポリマー、スケール抑制剤、ガス−ハイドレート抑制剤およびこれらの混合物からなる群より選択される構成要素をさらに含む、請求項６に記載の組成物。
【請求項８】
内燃機関に燃料を供給する方法であって、該方法は、
Ａ．該機関に：
ｉ．室温で液体の燃料；ならびに
ｉｉ． 第四級アンモニウム塩
を供給する工程を含み、該第四級アンモニウム塩は、
ａ．第三級アミノ基を有するマンニッヒ反応生成物であって、該マンニッヒ反応生成物は、ヒドロカルビル置換フェノールと、アルデヒドと、アミンとの反応より調製される、マンニッヒ反応生成物；および
ｂ．該第三級アミノ基を第四級窒素に変換するのに適切な第四級化剤
の反応生成物を含む、方法。
【請求項９】
内燃機関を潤滑する方法であって、該方法は、
Ａ．該機関のクランク室に：
ｉ．潤滑粘度の油；ならびに
ｉｉ． 第四級アンモニウム塩
を供給する工程を含み、該第四級アンモニウム塩は、
ａ．第三級アミノ基を有するマンニッヒ反応生成物であって、該マンニッヒ反応生成物は、ヒドロカルビル置換フェノールと、アルデヒドと、アミンとの反応より調製される、マンニッヒ反応生成物；および
ｂ．該第三級アミノ基を第四級窒素に変換するのに適切な第四級化剤
の反応生成物を含む、方法。
【請求項１０】
（ｉ）粒子状固体；（ｉｉ）有機媒質；および（ｉｉｉ）第四級アンモニウム塩を含む組成物であって、該第四級アンモニウム塩は、
ａ．第三級アミノ基を有するマンニッヒ反応生成物であって、該マンニッヒ反応生成物は、ヒドロカルビル置換フェノールと、アルデヒドと、アミンとの反応より調製される、マンニッヒ反応生成物；および
ｂ．該第三級アミノ基を第四級窒素に変換するのに適切な第四級化剤
の反応生成物を含む、組成物。
【請求項１１】
前記有機媒質が、有機液体またはプラスチック材料である、請求項１０に記載の組成物。
【請求項１２】
粒子状固体、有機液体、バインダーおよび第四級アンモニウム塩を含む塗料またはインキ組成物であって、該第四級アンモニウム塩は、
ａ．第三級アミノ基を有するマンニッヒ反応生成物であって、該マンニッヒ反応生成物は、ヒドロカルビル置換フェノールと、アルデヒドと、アミンとの反応より調製される、マンニッヒ反応生成物；および
ｂ．該第三級アミノ基を第四級窒素に変換するのに適切な第四級化剤
の反応生成物を含む、塗料またはインキ組成物。
【請求項１３】
粒子状固体、有機液体および第四級アンモニウム塩を含むミルベースであって、該第四級アンモニウム塩は、
ａ．第三級アミノ基を有するマンニッヒ反応生成物であって、該マンニッヒ反応生成物は、ヒドロカルビル置換フェノールと、アルデヒドと、アミンとの反応より調製される、マンニッヒ反応生成物；および
ｂ．該第三級アミノ基を第四級窒素に変換するのに適切な第四級化剤
の反応生成物を含む、ミルベース。
【手続補正２】
【補正対象書類名】明細書
【補正対象項目名】００２３
【補正方法】変更
【補正の内容】
【００２３】
本発明はさらに、粒子状固体、有機液体および第四級アンモニウム塩を含むミルベースを提供し、上記第四級アンモニウム塩は、
ａ．第三級アミノ基を有するマンニッヒ反応生成物であって、上記マンニッヒ反応生成物は、ヒドロカルビル置換フェノールと、アルデヒドと、アミンとの反応より調製される、マンニッヒ反応生成物；および
ｂ．上記第三級アミノ基を第四級窒素に変換するのに適切な第四級化剤
の反応生成物を含む。
本発明は、例えば以下の項目を提供する。
（項目１）
第四級アンモニウム塩を含む組成物であって、該第四級アンモニウム塩が、
ａ．第三級アミノ基を有するマンニッヒ反応生成物であって、該マンニッヒ反応生成物は、ヒドロカルビル置換フェノールと、アルデヒドと、アミンとの反応より調製される、マンニッヒ反応生成物；および
ｂ．該第三級アミノ基を第四級窒素に変換するのに適切な第四級化剤
の反応生成物を含む、組成物。
（項目２）
前記第四級化剤が、硫酸ジアルキル；アルキルハロゲン化物；ヒドロカルビル置換カーボネート；酸と組み合わされたヒドロカルビルエポキシド；およびこれらの混合物からなる群より選択される、項目１に記載の組成物。
（項目３）
前記構成要素（ａ）のヒドロカルビル置換フェノールのヒドロカルビル置換基が、４００〜３，０００の数平均分子量を有するポリオレフィンである、項目１に記載の組成物。
（項目４）
前記構成要素（ａ）のアルデヒドが、ホルムアルデヒドまたはその反応等価体である、項目１に記載の組成物。
（項目５）
前記構成要素（ａ）のアミンが、ジメチルアミン、エチレンジアミン、ジメチルアミノプロピルアミン、ジエチレントリアミン、ジブチルアミンおよびこれらの混合物からなる群より選択される、項目１に記載の組成物。
（項目６）
前記（ａ）のアミン化合物が、ジメチルアミンである、項目１に記載の組成物。
（項目７）
室温で液体である燃料をさらに含む、項目１に記載の組成物。
（項目８）
流動化剤をさらに含む、項目１に記載の組成物。
（項目９）
潤滑粘度の油をさらに含む、項目１に記載の組成物。
（項目１０）
金属不活性化剤、項目１に記載のもの以外の清浄剤、分散剤、粘度改質剤、摩擦調整剤、分散粘度改質剤、極圧剤、耐磨耗剤、酸化防止剤、腐食防止剤、消泡剤、解乳化剤、流動点降下剤、シール膨張剤、ワックス制御ポリマー、スケール抑制剤、ガス−ハイドレート抑制剤およびこれらの混合物からなる群より選択される構成要素をさらに含む、項目９に記載の組成物。
（項目１１）
前記構成要素が、オーバーベース化された金属含有清浄剤、亜鉛ジアルキルジチオ硫酸塩またはこれらの混合物である、項目１０に記載の組成物。
（項目１２）
内燃機関に燃料を供給する方法であって、該方法は、
Ａ．該機関に：
ｉ．室温で液体の燃料；ならびに
ｉｉ． 第四級アンモニウム塩
を供給する工程を含み、該第四級アンモニウム塩は、
ａ．第三級アミノ基を有するマンニッヒ反応生成物であって、該マンニッヒ反応生成物は、ヒドロカルビル置換フェノールと、アルデヒドと、アミンとの反応より調製される、マンニッヒ反応生成物；および
ｂ．該第三級アミノ基を第四級窒素に変換するのに適切な第四級化剤
の反応生成物を含む、方法。
（項目１３）
前記第四級化剤が、硫酸ジアルキル；アルキルハロゲン化物；ヒドロカルビル置換カーボネート；酸と組み合わされたヒドロカルビルエポキシド；またはこれらの混合物からなる群から選択される、項目１２に記載の方法。
（項目１４）
内燃機関を潤滑する方法であって、該方法は、
Ａ．該機関のクランク室に：
ｉ．潤滑粘度の油；ならびに
ｉｉ． 第四級アンモニウム塩
を供給する工程を含み、該第四級アンモニウム塩は、
ａ．第三級アミノ基を有するマンニッヒ反応生成物であって、該マンニッヒ反応生成物は、ヒドロカルビル置換フェノールと、アルデヒドと、アミンとの反応より調製される、マンニッヒ反応生成物；および
ｂ．該第三級アミノ基を第四級窒素に変換するのに適切な第四級化剤
の反応生成物を含む、方法。
（項目１５）
前記第四級化剤が、硫酸ジアルキル；アルキルハロゲン化物；ヒドロカルビル置換カーボネート；酸と組み合わされたヒドロカルビルエポキシド；およびこれらの混合物からなる群から選択される、項目１４に記載の方法。
（項目１６）
（ｉ）粒子状固体；（ｉｉ）有機媒質；および（ｉｉｉ）第四級アンモニウム塩を含む組成物であって、該第四級アンモニウム塩は、
ａ．第三級アミノ基を有するマンニッヒ反応生成物であって、該マンニッヒ反応生成物は、ヒドロカルビル置換フェノールと、アルデヒドと、アミンとの反応より調製される、マンニッヒ反応生成物；および
ｂ．該第三級アミノ基を第四級窒素に変換するのに適切な第四級化剤
の反応生成物を含む、組成物。
（項目１７）
前記有機媒質が、有機液体またはプラスチック材料である、項目１６に記載の組成物。
（項目１８）
前記有機液体が、全有機液体を基準として、少なくとも０．１重量％の極性有機液体を含む、項目１６に記載の組成物。
（項目１９）
前記粒子状固体が、顔料である、項目１６に記載の組成物。
（項目２０）
粒子状固体、有機液体、バインダーおよび第四級アンモニウム塩を含む塗料またはインキ組成物であって、該第四級アンモニウム塩は、
ａ．第三級アミノ基を有するマンニッヒ反応生成物であって、該マンニッヒ反応生成物は、ヒドロカルビル置換フェノールと、アルデヒドと、アミンとの反応より調製される、マンニッヒ反応生成物；および
ｂ．該第三級アミノ基を第四級窒素に変換するのに適切な第四級化剤
の反応生成物を含む、塗料またはインキ組成物。
（項目２１）
粒子状固体、有機液体および第四級アンモニウム塩を含むミルベースであって、該第四級アンモニウム塩は、
ａ．第三級アミノ基を有するマンニッヒ反応生成物であって、該マンニッヒ反応生成物は、ヒドロカルビル置換フェノールと、アルデヒドと、アミンとの反応より調製される、マンニッヒ反応生成物；および
ｂ．該第三級アミノ基を第四級窒素に変換するのに適切な第四級化剤
の反応生成物を含む、ミルベース。